(57)【特許請求の範囲】
【請求項１】
タッチスクリーンを備える電子機器に適用される入力方法であって、
前記タッチスクリーンに作用するタッチ信号を受信するステップと、
前記タッチ信号に基づいて対象手のひらの各指の前記タッチスクリーンでの初期位置を確定するステップと、
各指の前記タッチスクリーンでの初期位置を、前記指に対応する基本キーの基本キー位置として構築するステップと、
各指に対応する基本キーの基本キー位置と各指に対応する他のキーの他のキー位置との間の所定配列方式、前記対象手のひらの手のひら根元部と各指との間の天然的な位置関係、前記対象手のひらの手のひら根元部と各指との間の極限の位置関係に基づいて、各指に対応する基本キー位置と他のキー位置との間の相対位置を構築するステップと、
前記タッチスクリーンに作用するクリック信号を受信するステップと、
前記クリック信号に基づいて対象指のタッチ位置を確定するステップと、
前記対象指の初期位置と前記タッチ位置との間の変位、前記初期位置にある前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するステップと、
前記対象キー位置に対応する対象文字を入力するステップと、
を含み、
前記天然的な位置関係は、前記対象手のひらが自然で快適な状態で前記タッチスクリーンをタッチした場合の、前記手のひら根元部と各指との間の相対位置関係であり、
前記極限の位置関係は、前記対象手のひらが完全に伸ばされた状態で、前記タッチスクリーンをタッチした場合の、前記手のひら根元部と各指との間の相対位置関係であることを特徴とする、入力方法。
【請求項２】
対象手のひらの手のひら根元部のタッチスクリーンでの現在位置を取得するステップと、
手のひら根元部の現在位置と、電子機器がタッチ信号を受信したときの対象手のひらの手のひら根元部の開始位置が一致するか否かを検出するステップと
を含み、
前記対象キー位置を確定するステップは、検出の結果、一致する場合、前記対象指の初期位置と前記タッチ位置との間の変位、前記初期位置にある前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定することを特徴とする、請求項１に記載の方法。
【請求項３】
前記タッチ信号に基づいて対象手のひらの各指の前記タッチスクリーンでの初期位置を確定するステップは、
前記天然的な位置関係において掌紋を用いて手のひら根元部を標識し、かつ指紋を用いて各指を標識する場合、前記タッチ信号に基づいて前記手のひら根元部の掌紋を取得してから前記掌紋の前記タッチスクリーンでの開始位置を確定し、前記掌紋に対応する前記天然的な位置関係を取得し、前記掌紋の前記タッチスクリーンでの開始位置および前記天然的な位置関係に基づいて、各指の前記タッチスクリーンでの初期位置を確定するステップ、
または
前記天然的な位置関係および／または前記極限の位置関係において指紋を用いて各指を標識する場合、前記タッチ信号を受信した後、前記タッチ信号に基づいて各指紋を取得し、前記各指紋に基づいて各指を識別し、前記タッチ信号中の各指紋の位置に基づいて、各指の前記タッチスクリーンでの初期位置を確定するステップ
を含むことを特徴とする、請求項１に記載の方法。
【請求項４】
前記対象指の初期位置と前記タッチ位置との間の変位、前記初期位置にある前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するステップは
前記クリック信号を受信した後、前記対象指の指紋を取得するステップと、
前記対象指の指紋に基づいて前記対象指の初期位置を検索するステップと、
前記対象指の初期位置と前記タッチ位置との間の変位を計算するステップと、
前記変位、前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するステップと、
を含むことを特徴とする、請求項３に記載の方法。
【請求項５】
前記対象指の指紋に基づいて前記対象指の初期位置を検索するステップは、
前記対象指の指紋に基づいて前記天然的な位置関係を取得し、前記手のひら根元部の掌紋の前記タッチスクリーンでの開始位置、および前記天然的な位置関係に基づいて、前記対象指の指紋の初期位置を確定するステップ、
または
前記対象指の指紋に基づいて前記対象指の指紋の前記初期位置を直接検索するステップ、
を含むことを特徴とする、請求項４に記載の方法。
【請求項６】
前記天然的な位置関係および前記極限の位置関係において掌紋を用いて手のひら根元部を標識する場合、前記タッチ信号を受信した後、前記手のひら根元部の掌紋を取得するステップと、
前記手のひら根元部の掌紋に基づいて、前記掌紋に対応する前記天然的な位置関係および前記極限の位置関係が格納されているか否かを検出するステップと、
検出の結果、前記天然的な位置関係および前記極限の位置関係が格納されていない場合、前記天然的な位置関係および前記極限の位置関係を取得するステップとを、
さらに含むことを特徴とする、請求項１に記載の方法。
【請求項７】
前記天然的な位置関係および前記極限の位置関係を取得するステップは、
前記対象手のひらを使用して自然で快適な状態で前記タッチスクリーンをタッチするようにユーザにヒントを与えるための第１のインタフェースに作用する第１のタッチ信号を受信し、前記第１のタッチ信号に基づいて、前記対象手のひらが自然で快適な状態で前記タッチスクリーンをタッチした場合の、前記手のひら根元部と各指との間の相対位置関係を確定し、前記第１のタッチ信号に基づいて確定された相対位置関係を、前記天然的な位置関係とするステップと、
前記対象手のひらを使用して完全に伸ばされた状態で前記タッチスクリーンをタッチするようにユーザにヒントを与えるための第２のインタフェースに作用する第２のタッチ信号を受信し、前記第２のタッチ信号に基づいて、前記対象手のひらが完全に伸ばされた状態で前記タッチスクリーンをタッチした場合の、前記手のひら根元部と各指との間の相対位置関係を確定し、前記第２のタッチ信号に基づいて確定された相対位置関係を、前記極限の位置関係とするステップと
を含むことを特徴とする、請求項６に記載の方法。
【請求項８】
タッチスクリーンを備える電子機器に適用される入力装置であって、
前記タッチスクリーンに作用するタッチ信号を受信するための第２の信号受信モジュールと、
前記第２の信号受信モジュールにより受信された前記タッチ信号に基づいて対象手のひらの各指の前記タッチスクリーンでの初期位置を確定するための初期位置確定モジュールと、
各指の前記タッチスクリーンでの初期位置を、前記指に対応する基本キーの基本キー位置として構築するための基本キー位置構築モジュールと、
各指に対応する基本キーの基本キー位置と各指に対応する他のキーの他のキー位置との間の所定配列方式、前記対象手のひらの手のひら根元部と各指との間の天然的な位置関係、前記対象手のひらの手のひら根元部と各指との間の極限の位置関係に基づいて、各指に対応する基本キー位置と他のキー位置との間の相対位置を構築するための相対位置構築モジュールと、
前記タッチスクリーンに作用するクリック信号を受信するための第１の信号受信モジュールと、
前記第１の信号受信モジュールにより受信された前記クリック信号に基づいて対象指のタッチ位置を確定するためのタッチ位置確定モジュールと、
前記対象指の初期位置と前記タッチ位置との間の変位、前記初期位置にある前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するためのキー位置確定モジュールと、
前記キー位置確定モジュールにより確定された前記対象キー位置に対応する対象文字を入力するための文字入力モジュールと、
を備え、
前記天然的な位置関係は、前記対象手のひらが自然で快適な状態で前記タッチスクリーンをタッチした場合の、前記手のひら根元部と各指との間の相対位置関係であり、
前記極限の位置関係は、前記対象手のひらが完全に伸ばされた状態で、前記タッチスクリーンをタッチした場合の、前記手のひら根元部と各指との間の相対位置関係であることを特徴とする、入力装置。
【請求項９】
対象手のひらの手のひら根元部のタッチスクリーンでの現在位置を取得する現在位置取得モジュールと、
手のひら根元部の現在位置と、電子機器がタッチ信号を受信したときの対象手のひらの手のひら根元部の開始位置が一致するか否かを検出する位置検出モジュールと、
を備え、
前期キー位置確定モジュールは、検出の結果、一致する場合、前記対象指の初期位置と前記タッチ位置との間の変位、前記初期位置にある前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定することを特徴とする、請求項８に記載の装置。
【請求項１０】
前記初期位置確定モジュールは、
前記天然的な位置関係において掌紋を用いて手のひら根元部を標識し、かつ指紋を用いて各指を標識する場合、前記タッチ信号に基づいて前記手のひら根元部の掌紋を取得してから前記掌紋の前記タッチスクリーンでの開始位置を確定し、前記掌紋に対応する前記天然的な位置関係を取得し、前記掌紋の前記タッチスクリーンでの開始位置および前記天然的な位置関係に基づいて、各指の前記タッチスクリーンでの初期位置を確定するための第１の位置確定ユニット、
または
前記天然的な位置関係および／または前記極限の位置関係において指紋を用いて各指を標識する場合、前記タッチ信号を受信した後、前記タッチ信号に基づいて各指紋を取得し、前記各指紋に基づいて各指を識別し、前記タッチ信号中の各指紋の位置に基づいて、各指の前記タッチスクリーンでの初期位置を確定するための第２の位置確定ユニット
を備えることを特徴とする、請求項８に記載の装置。
【請求項１１】
前記キー位置確定モジュールは、
前記クリック信号を受信した後、前記対象指の指紋を取得するための指紋取得ユニットと、
前記対象指の指紋に基づいて前記対象指の初期位置を検索するための初期位置検索ユニットと、
前記対象指の前記初期位置と前記タッチ位置との間の変位を計算するための変位計算ユニットと、
前記変位、前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するためのキー位置確定ユニットと、
を備えることを特徴とする、請求項１０に記載の装置。
【請求項１２】
前記初期位置検索ユニットは、
前記対象指の指紋に基づいて前記天然的な位置関係を取得し、前記手のひら根元部の掌紋の前記タッチスクリーンでの開始位置、および前記天然的な位置関係に基づいて、前記対象指の指紋の初期位置を確定するための第１の検索サブユニット、
または
前記対象指の指紋に基づいて前記対象指の指紋の前記初期位置を直接検索するための第２の検索サブユニット
を備えることを特徴とする、請求項１１に記載の装置。
【請求項１３】
前記天然的な位置関係および前記極限の位置関係において掌紋を用いて手のひら根元部を標識する場合、前記タッチ信号を受信した後、前記手のひら根元部の掌紋を取得するための掌紋取得モジュールと、
前記掌紋取得モジュールにより取得された前記手のひら根元部の掌紋に基づいて前記天然的な位置関係および前記極限の位置関係が格納されているか否かを検出するための関係検出モジュールと、
前記関係検出モジュールの検出の結果、前記天然的な位置関係および前記極限の位置関係が格納されていない場合、前記天然的な位置関係および前記極限の位置関係を取得するための関係取得モジュールとを、
さらに備えることを特徴とする、請求項８に記載の装置。
【請求項１４】
前記関係取得モジュールは、
前記対象手のひらを使用して自然で快適な状態で前記タッチスクリーンをタッチするようにユーザにヒントを与えるための第１のインタフェースに作用する第１のタッチ信号を受信し、前記第１のタッチ信号に基づいて、前記対象手のひらが自然で快適な状態で前記タッチスクリーンをタッチした場合の、前記手のひら根元部と各指との間の相対位置関係を確定し、前記第１のタッチ信号に基づいて確定された相対位置関係を、前記天然的な位置関係とするための第１の関係取得ユニットと、
前記対象手のひらを使用して完全に伸ばされた状態で前記タッチスクリーンをタッチするようにユーザにヒントを与えるための第２のインタフェースに作用する第２のタッチ信号を受信し、前記第２のタッチ信号に基づいて、前記対象手のひらが完全に伸ばされた状態で前記タッチスクリーンをタッチした場合の、前記手のひら根元部と各指との間の相対位置関係を確定し、前記第２のタッチ信号に基づいて確定された相対位置関係を、前記極限の位置関係とするための第２の関係取得ユニットと、
を備えることを特徴とする、請求項１３に記載の装置。
【請求項１５】
プロセッサに実行されることにより、請求項１から請求項７のいずれかに記載の入力方法を実現することを特徴とするプログラム。
【請求項１６】
請求項１５に記載のプログラムが記録された記録媒体。
【発明の詳細な説明】
【相互参照】
【０００１】
本願は、出願番号が２０１４１００６３１１４．０であって、出願日が２０１４年２月２２日である中国特許出願に基づき優先権を主張し、当該中国特許出願のすべての内容を本願に援用する。
【技術分野】
【０００２】
本発明は、コンピュータ技術の分野に関し、特に入力方法、装置、プログラム、及び記録媒体に関する。
【背景技術】
【０００３】
タッチスクリーン技術の急速な発展に伴い、タッチスクリーンは、すでに、スマートフォン、タブレットＰＣや電子書籍リーダーのような電子機器において一般的に使用される人間とコンピュータの相互作用の方式の１つになっている。
【０００４】
ユーザは、電子機器を使用する過程において、常にタッチスクリーンを用いて電子機器にテキストを入力する必要がある。例えば、電子機器には、完全な物理的なキーボードにおける各文字のキー位置を含む予め設定された仮想キーボードが表示される。電子機器は、ユーザがあるキー位置をクリックしたクリック信号を受信し、クリック信号を受信した後、ユーザがクリックしたキー位置に対応する対象文字を入力する。
【０００５】
本発明人は、本発明を実現する過程において、従来技術に少なくとも次の欠陥があることを見出した。
【０００６】
仮想キーボードの場合、物理的なキーボードとは異なって、ユーザに対して、指の位置決めのためのヒントをフィードバックすることができないため、仮想キーボードにおけるユーザの両手の置き位置は正常に使用されるときの置き位置と偏差がある場合、ユーザは、その自身の置き位置が間違ったことを認識できないから、ユーザがタッチタイピングする場合、端末に入力された対象文字は、ユーザの入力したい文字ではない可能性がある。このため、上記入力方法の入力精度が比較的低くなる。さらに、実際において、入力ミスを避けるために、ユーザは、常に仮想キーボードを見る必要があるため、上記入力方法の入力速度が比較的遅くなる。
【発明の概要】
【０００７】
上記従来技術における入力精度が比較的低くかつ入力速度が遅い問題を解決するために、本発明の実施例は、入力方法、装置、プログラム、及び記録媒体を提供する。
【０００８】
本発明の実施例の第１の態様によれば、タッチスクリーンを備える電子機器に適用される入力方法であって、
前記タッチスクリーンに作用するクリック信号を受信するステップと、
前記クリック信号対象に基づいて指のタッチ位置を確定するステップと、
前記対象指の初期位置と前記タッチ位置との間の変位、前記初期位置にある前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するステップと、
前記対象キー位置に対応する対象文字を入力するステップと、を含む入力方法を提供する。
【０００９】
選択的に、前記方法は、
前記タッチスクリーンに作用するタッチ信号を受信するステップと、
前記タッチ信号に基づいて、対象手のひらの各指の前記タッチスクリーンでの初期位置を確定するステップと、
各指の前記タッチスクリーンでの初期位置を、前記指に対応する基本キーの基本キー位置として構築するステップと、
各指に対応する基本キーの基本キー位置と各指に対応する他のキーの他のキー位置との間の所定配列方式、前記対象手のひらの手のひら根元部と各指との間の天然的な位置関係、前記対象手のひらの手のひら根元部と各指との間の極限の位置関係に基づいて、各指に対応する基本キー位置と他のキー位置との間の相対位置を構築するステップと、を含み、
前記天然的な位置関係は、前記対象手のひらが自然で快適な状態で前記タッチスクリーンをタッチした場合の、前記手のひら根元部と各指との間の相対位置関係であり、
前記極限の位置関係は、前記対象手のひらが完全に伸ばされた状態で、前記タッチスクリーンをタッチした場合の、前記手のひら根元部と各指との間の相対位置関係である。
【００１０】
選択的に、前記タッチ信号に基づいて対象手のひらの各指の前記タッチスクリーンでの初期位置を確定するステップは、
前記天然的な位置関係において掌紋を用いて手のひら根元部を標識し、かつ指紋を用いて各指を標識する場合、前記タッチ信号に基づいて前記手のひら根元部の掌紋を取得してから前記掌紋の前記タッチスクリーンでの開始位置を確定し、前記掌紋に対応する前記天然的な位置関係を取得し、前記掌紋の前記タッチスクリーンでの開始位置および前記天然的な位置関係に基づいて、各指の前記タッチスクリーンでの初期位置を確定するステップ、
または
前記天然的な位置関係および／または前記極限の位置関係において指紋を用いて各指を標識する場合、前記タッチ信号を受信した後、前記タッチ信号に基づいて各指紋を取得し、前記各指紋に基づいて各指を識別し、前記タッチ信号中の各指紋の位置に基づいて、各指の前記タッチスクリーンでの初期位置を確定するステップ
を含む。
【００１１】
選択的に、前記対象指の初期位置と前記タッチ位置との間の変位、前記初期位置にある前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するステップは、
前記クリック信号を受信した後、前記対象指の指紋を取得するステップと、
前記対象指の指紋に基づいて前記対象指の初期位置を検索するステップと、
前記対象指の初期位置と前記タッチ位置との間の変位を計算するステップと、
前記変位、前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するステップと、を含む。
【００１２】
選択的に、前記対象指の指紋に基づいて前記対象指の初期位置を検索するステップは、
前記対象指の指紋に基づいて前記天然的な位置関係を取得し、前記手のひら根元部の掌紋の前記タッチスクリーンでの開始位置、および前記天然的な位置関係に基づいて、前記対象指の指紋の初期位置を確定するステップ、
または
前記対象指の指紋に基づいて前記対象指の指紋の前記初期位置を直接検索するステップ、
を含む。
【００１３】
選択的に、前記方法は、
前記天然的な位置関係および前記極限の位置関係において掌紋を用いて手のひら根元部を標識する場合、前記タッチ信号を受信した後、前記手のひら根元部の掌紋を取得するステップと、
前記手のひら根元部の掌紋に基づいて、前記掌紋に対応する前記天然的な位置関係および前記極限の位置関係が格納されているか否かを検出するステップと、
検出の結果、前記天然的な位置関係および前記極限の位置関係が格納されていない場合、前記天然的な位置関係および前記極限の位置関係を取得するステップとを、
さらに含む。
【００１４】
選択的に、前記天然的な位置関係および前記極限の位置関係を取得するステップは、
前記対象手のひらを使用して自然で快適な状態で前記タッチスクリーンをタッチするようにユーザにヒントを与えるための第１のインタフェースに作用する第１のタッチ信号を受信し、前記第１のタッチ信号に基づいて、前記対象手のひらが自然で快適な状態で前記タッチスクリーンをタッチした場合の、前記手のひら根元部と各指との間の相対位置関係を確定し、前記第１のタッチ信号に基づいて確定された相対位置関係を、前記天然的な位置関係とするステップと、
前記対象手のひらを使用して完全に伸ばされた状態で前記タッチスクリーンをタッチするようにユーザにヒントを与えるための第２のインタフェースに作用する第２のタッチ信号を受信し、前記第２のタッチ信号に基づいて、前記対象手のひらが完全に伸ばされた状態で前記タッチスクリーンをタッチした場合の、前記手のひら根元部と各指との間の相対位置関係を確定し、前記第２のタッチ信号に基づいて確定された相対位置関係を、前記極限の位置関係とするステップと、
を含む。
【００１５】
本発明の実施例の第２の態様によれば、タッチスクリーンを備える電子機器に用いられるための入力装置であって、
前記タッチスクリーンに作用するクリック信号を受信するための第１の信号受信モジュールと、
前記第１の信号受信モジュールにより受信された前記クリック信号に基づいて対象指のタッチ位置を確定するためのタッチ位置確定モジュールと、
前記対象指の初期位置と前記タッチ位置との間の変位、前記初期位置にある前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するためのキー位置確定モジュールと、
前記キー位置確定モジュールにより確定された前記対象キー位置に対応する対象文字を入力するための文字入力モジュールと、
を備える入力装置を提供する。
【００１６】
選択的に、前記装置は、
前記タッチスクリーンに作用するタッチ信号を受信するための第２の信号受信モジュールと、
前記第２の信号受信モジュールにより受信された前記タッチ信号に基づいて対象手のひらの各指の前記タッチスクリーンでの初期位置を確定するための初期位置確定モジュールと、
各指の前記タッチスクリーンでの初期位置を、前記指に対応する基本キーの基本キー位置として構築するための基本キー位置構築モジュールと、
各指に対応する基本キーの基本キー位置と各指に対応する他のキーの他のキー位置との間の所定配列方式、前記対象手のひらの手のひら根元部と各指との間の天然的な位置関係、前記対象手のひらの手のひら根元部と各指との間の極限の位置関係に基づいて、各指に対応する基本キー位置と他のキー位置との間の相対位置を構築するための相対位置構築モジュールとを、
さらに備え、
前記天然的な位置関係は、前記対象手のひらが自然で快適な状態で前記タッチスクリーンをタッチした場合の、前記手のひら根元部と各指との間の相対位置関係であり、
前記極限の位置関係は、前記対象手のひらが完全に伸ばされた状態で、前記タッチスクリーンをタッチした場合の、前記手のひら根元部と各指との間の相対位置関係である。
【００１７】
選択的に、前記初期位置確定モジュールは、
前記天然的な位置関係において掌紋を用いて手のひら根元部を標識し、かつ指紋を用いて各指を標識する場合、前記タッチ信号に基づいて前記手のひら根元部の掌紋を取得してから前記掌紋の前記タッチスクリーンでの開始位置を確定し、前記掌紋に対応する前記天然的な位置関係を取得し、前記掌紋の前記タッチスクリーンでの開始位置および前記天然的な位置関係に基づいて、各指の前記タッチスクリーンでの初期位置を確定するための第１の位置確定ユニット、
または
前記天然的な位置関係および／または前記極限の位置関係において指紋を用いて各指を標識する場合、前記タッチ信号を受信した後、前記タッチ信号に基づいて各指紋を取得し、前記各指紋に基づいて各指を識別し、前記タッチ信号中の各指紋の位置に基づいて、各指の前記タッチスクリーンでの初期位置を確定するための第２の位置確定ユニット
を備える。
【００１８】
選択的に、前記キー位置確定モジュールは、
前記クリック信号を受信した後、前記対象指の指紋を取得するための指紋取得ユニットと、
前記対象指の指紋に基づいて前記対象指の初期位置を検索するための初期位置検索ユニットと、
前記対象指の前記初期位置と前記タッチ位置との間の変位を計算するための変位計算ユニットと、
前記変位、前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するためのキー位置確定ユニットと、
を備える。
【００１９】
選択的に、前記初期位置検索ユニットは、
前記対象指の指紋に基づいて前記天然的な位置関係を取得し、前記手のひら根元部の掌紋の前記タッチスクリーンでの開始位置、および前記天然的な位置関係に基づいて、前記対象指の指紋の初期位置を確定するための第１の検索サブユニット、
または
前記対象指の指紋に基づいて前記対象指の指紋の前記初期位置を直接検索するための第２の検索サブユニット
を備える。
【００２０】
選択的に、前記装置は、
前記天然的な位置関係および前記極限の位置関係において掌紋を用いて手のひら根元部を標識する場合、前記タッチ信号を受信した後、前記手のひら根元部の掌紋を取得するための掌紋取得モジュールと、
前記掌紋取得モジュールにより取得された前記手のひら根元部の掌紋に基づいて前記天然的な位置関係および前記極限の位置関係が格納されているか否かを検出するための関係検出モジュールと、
前記関係検出モジュールの検出の結果、前記天然的な位置関係および前記極限の位置関係が格納されていない場合、前記天然的な位置関係および前記極限の位置関係を取得するための関係取得モジュールとを、
さらに備える。
【００２１】
選択的に、前記関係取得モジュールは、
前記対象手のひらを使用して自然で快適な状態で前記タッチスクリーンをタッチするように、ユーザにヒントを与えるための第１のインタフェースに作用する第１のタッチ信号を受信し、前記第１のタッチ信号に基づいて、前記対象手のひらが自然で快適な状態で前記タッチスクリーンをタッチした場合の、前記手のひら根元部と各指との間の相対位置関係を確定し、前記第１のタッチ信号に基づいて確定された相対位置関係を、前記天然的な位置関係とするための第１の関係取得ユニットと、
前記対象手のひらを使用して完全に伸ばされた状態で前記タッチスクリーンをタッチするようにユーザにヒントを与えるための第２のインタフェースに作用する第２のタッチ信号を受信し、前記第２のタッチ信号に基づいて、前記対象手のひらが完全に伸ばされた状態で前記タッチスクリーンをタッチした場合の、前記手のひら根元部と各指との間の相対位置関係を確定し、前記第２のタッチ信号に基づいて確定された相対位置関係を、前記極限の位置関係とするための第２の関係取得ユニットと、
を備える。
本発明の実施例の第３の態様によれば、プロセッサに実行されることにより、前記の入力方法を実現するプログラムを提供する。
本発明の実施例の第４の態様によれば、前記のプログラムが記録された記録媒体を提供する。
【００２２】
本発明に係る実施例により提供された技術案は、次の有益な効果を果たすことができる。
【００２３】
クリック信号を受信した後、クリック信号に基づいて対象指のタッチ位置を確定し、対象指の初期位置とそのタッチ位置との間の変位、初期位置にある対象指に対応する基本キーの基本キー位置、および基本キーと対象指に対応する他のキーの他のキー位置とのタッチスクリーン上での相対位置に基づいて、タッチ位置にある対象指に対応する対象キー位置を確定し、さらに、対象キー位置に対応する対象文字を入力する。これにより、従来技術における入力精度が比較的低く、入力速度が遅い問題を解决した。ユーザの手の置き位置とユーザが正常に使用するときの置き位置は偏差があったとしても、対象キー位置は、対象指の初期位置とタッチ位置との間の変位に基づいて確定されるために、電子機器は、依然としてユーザの所望の文字を正確に入力することができる。従って、入力精度を向上させる效果を実現した。同時に、対象キー位置は、対象指の初期位置とそのタッチ位置との間の変位に基づいて確定されるため、ユーザは、タッチスクリーン上の仮想キーボードを見ずに、自身が物理的なキーボードに対してタッチタイピングする習慣に従ってタッチスクリーンに入力することができる。従って、入力速度を向上させる効果を達成した。
【００２４】
上記一般的な説明および後述の詳細な説明は、単なる例示のみであり、本発明を限定するものではないことが理解されるべきである。
【図面の簡単な説明】
【００２５】
ここでの図面は、本明細書に組み込まれて明細書の一部として構成され、本発明に該当する実施例を示し、且つ明細書と共に本発明の原理を説明するために用いられる。
【００２６】
【図１】例示的な実施例に係る入力方法を示すフローチャートである。
【図２Ａ】別の例示的な実施例に係る入力方法を示すフローチャートである。
【図２Ｂ】別の例示的な実施例に係る天然的な位置関係を取得する場合の手のひらの置き方式を示す模式図である。
【図２Ｃ】別の例示的な実施例に係る電子機器が取得した天然的な位置関係を示す模式図である。
【図２Ｄ】別の例示的な実施例に係る電子機器が指の指紋を取得することを示す模式図である。
【図２Ｅ】別の例示的な実施例に係る電子機器が極限の位置関係を取得するときの手のひらの置き方式を示す模式図である。
【図２Ｆ】別の例示的な実施例に係る手のひらが自然で快適な状態でタッチスクリーンをタッチした場合の各指とデフォルト文字との間の対応関係を示す模式図である。
【図２Ｇ】別の例示的な実施例に係る指に対応する各キー位置の間の所定配列を示す模式図である。
【図２Ｈ】別の例示的な実施例に係る入力方法を示す別のフローチャートである。
【図３】例示的な実施例に係る入力装置を示す模式図である。
【図４Ａ】別の例示的な実施例に係る入力装置を示す模式図である。
【図４Ｂ】別の例示的な実施例に係る初期位置検索ユニットを示す模式図である。
【図５】例示的な実施例に係る入力装置を示す模式図である。
【発明を実施するための形態】
【００２７】
以下、例示的な実施例について詳細に説明し、それらの例は添付の図面に示されている。以下の説明が添付図面に関する場合、特別に説明しない限り、各図面における同じ数字が同一または相当の要素を表す。以下の例示的な実施例に記載される実施形態は、本発明と一致するすべての実施形態を代表するものではない。逆に、それらは、添付の特許要求の範囲に詳述したような本発明のいくつかの方面と一致する装置および方法の例だけである。
【００２８】
図１は、例示的な実施例に係る入力方法を示すフローチャートである。図１に示すように、当該入力方法は、タッチスクリーンを備える電子機器に適用され、次のステップを含む。
【００２９】
ステップ１０１において、タッチスクリーンに作用するクリック信号を受信する。
【００３０】
ステップ１０２において、クリック信号に基づいて対象指のタッチ位置を確定する。
【００３１】
ステップ１０３において、対象指の初期位置とタッチ位置との間の変位、初期位置にある対象指に対応する基本キーの基本キー位置、および基本キー位置と対象指に対応する他のキーの他のキー位置とのタッチスクリーンでの相対位置に基づいて、タッチ位置にある対象指に対応する対象キー位置を確定する。
【００３２】
ステップ１０４において、対象キー位置に対応する対象文字を入力する。
【００３３】
上記を纏めて言えば、本実施例に係る入力方法では、クリック信号を受信した後、クリック信号に基づいて対象指のタッチ位置を確定し、対象指の初期位置とタッチ位置との間の変位、初期位置にある対象指に対応する基本キーの基本キー位置、および基本キー位置と対象指に対応する他のキーの他のキー位置とのタッチスクリーンでの相対位置に基づいて、タッチ位置にある対象指に対応する対象キー位置を確定し、さらに、対象キー位置に対応する対象文字を入力する。これにより、従来技術における入力精度が比較的低く、入力速度が遅い問題を解决した。ユーザの手の置き位置とユーザが正常に使用するときの置き位置は偏差があったとしても、対象キー位置は、対象指の初期位置とタッチ位置との間の変位に基づいて確定されるため、電子機器は、依然としてユーザの所望の文字を正確に入力することができる。従って、入力精度を向上させる效果を実現した。同時に、対象キー位置は、対象指の初期位置とタッチ位置との間の変位に基づいて確定されるため、ユーザは、タッチスクリーン上の仮想キーボードを見ずに、自身が物理的なキーボードに対してタッチタイピングする習慣に従ってタッチスクリーンに入力することができる。従って、入力速度を向上させる効果を達成した。
【００３４】
図２Ａは、別の例示的な実施例に係る入力方法を示すフローチャートである。図２Ａに示すように、当該入力方法は、タッチスクリーンを備える電子機器に適用され、次のステップを含む。
【００３５】
ステップ２０１において、ユーザの手のひらが自然で快適な状態でタッチスクリーンをタッチした場合の、手のひら根元部と各指との間の相対位置関係を取得する。
【００３６】
ユーザが最初に電子機器への入力を要求する場合、後続のステップを実行するために、電子機器は、ユーザの手のひらが自然で快適な状態でタッチスクリーンをタッチした場合の、手のひら根元部と各指との間の相対位置関係を取得することを、要求することができる。
【００３７】
実際において、ユーザが最初に電子機器への入力を要求する場合、電子機器は、手のひらを使用して自然で快適な状態でタッチスクリーンをタッチすることを、ユーザにヒントを与えるための表示インタフェースを表示することができ、ユーザは、電子機器により表示された表示インタフェースを見た後、図２Ｂに示すように、手のひらを使用して自然で快適な状態でタッチスクリーンをタッチし、このときの電子機器は、相応的に、ユーザの手のひらが自然で快適な状態でタッチスクリーンをタッチした場合のタッチ信号を受信することができる。ここで、タッチ信号は、ユーザの手のひらの手のひら根元部、および手のひらの５本の指によりそれぞれに印加された信号を含む。電子機器は、タッチ信号を受信した後、タッチ信号中の各信号の受信位置の相対位置関係を、手のひらの手のひら根元部と５本の指との相対位置関係に確定することができる。詳細について、図２Ｃを参照ください。
【００３８】
各ユーザが手のひらを使用して自然で快適な状態でタッチスクリーンをタッチした場合の手のひら根元部と各指との間の相対位置関係を区別するために、電子機器は、手のひら根元部の掌紋および各指の指紋を取得し、さらに、取得された掌紋を用いて手のひら根元部を標識し、取得された指紋を用いて各指を標識することができる。実際において、電子機器が手のひら根元部の掌紋を取得した場合、手のひら皮膚の最外層である掌紋の層が非導電性で、手のひら内部の皮下層が導電性であるため、ユーザの手のひらが電子機器のタッチスクリーンに置かれる場合、電子機器は、手のひらの皮膚に帯電させることにより、掌紋の模様を検出することができ、さらに、掌紋による導電率の極小の変化を測定することにより、手のひら根元部の掌紋を取得することができ、当該実施例では、繰り返して説明しない。同様に、電子機器は、同じ取得方法を使用して各指の指紋を取得することができ、例えば、電子機器は、図２Ｄに示す指の指紋を取得することができる。
【００３９】
ステップ２０２において、ユーザの手のひらが完全に伸ばされた状態でタッチスクリーンをタッチした場合の、手のひら根元部と各指との間の相対位置関係を取得する。
【００４０】
同様に、ユーザが最初に電子機器への入力を要求する場合、後続のステップを実行するために、電子機器は、ユーザの手のひらが完全に伸ばされた状態でタッチスクリーンをタッチした場合の、手のひら根元部と各指との間の相対位置関係を取得することもできる。
【００４１】
実際において、電子機器は、ステップ２０１と同様の取得方法を用いて、ユーザの手のひらが完全に伸ばされた状態でタッチスクリーンをタッチした場合の、手のひら根元部と各指との間の相対位置関係を取得することができるが、ステップ２０１と相違する点は、ユーザは手のひらを使用して完全に伸ばされた状態でタッチスクリーンをタッチすることである。詳細の模式図は、図２Ｅを参照ください。
【００４２】
次の点について説明すべきである。即ち、当該実施例では、ステップ２０１を実行した後ステップ２０２を実行することのみを例として説明したが、実際において、電子機器は、ステップ２０１およびステップ２０２を同時に実行してもよく、ステップ２０２を実行した後ステップ２０１を実行してもよい。当該実施例では、具体的な実行順序を限定するものではない。
【００４３】
ステップ２０３において、タッチスクリーンに作用するタッチ信号を受信する。
【００４４】
ユーザは、電子機器への入力を要求する必要がある場合、電子機器のタッチスクリーン上に手のひらを置き、その後、指でタッチスクリーンをクリックすることで入力を実現することができるので、電子機器は、手のひらがタッチスクリーンに作用するタッチ信号を相応的に受信することができる。
【００４５】
ステップ２０４において、タッチ信号に基づいて対象手のひらの各指のタッチスクリーンでの初期位置を確定する。
【００４６】
電子機器がタッチ信号を受信した後、電子機器は、タッチ信号に基づいてユーザの手のひらの各指のタッチスクリーンでの初期位置を確定することができる。即ち、電子機器は、タッチ信号に基づいて、対象手のひらの各指のタッチスクリーンでの初期位置を確定することができる。ここで、対象手のひらは、タッチスクリーンをクリックする対象指が位置する手のひらであり、例えば、ユーザが左手の指でタッチスクリーンをクリックする場合、対象手のひらは、左の手のひらであり、ユーザが右手の指でタッチスクリーンをクリックする場合、対象手のひらは、右の手のひらである。
【００４７】
実際において、電子機器がタッチ信号に基づいて対象手のひらの各指のタッチスクリーンでの初期位置を確定する確定方式は、次の方式のうちのいずれかの１つを含むことができる。
【００４８】
第１確定方式について説明する。天然的な位置関係において掌紋を用いて手のひら根元部を標識し、かつ指紋を用いて各指を標識する場合、タッチ信号に基づいて手のひら根元部の掌紋を取得してから掌紋のタッチスクリーンでの開始位置を確定し、掌紋に対応する天然的な位置関係を取得し、掌紋のタッチスクリーンでの開始位置および天然的な位置関係に基づいて各指のタッチスクリーンでの初期位置を確定する。
【００４９】
天然的な位置関係において掌紋を用いて手のひら根元部を標識し、かつ指紋を用いて各指を標識する場合、電子機器は、タッチ信号を受信した後、手のひら根元部の掌紋を取得することができ、タッチ信号を受信したときの手のひら根元部のタッチ位置をタッチスクリーンにある手のひら根元部に対応する開始位置とすることができる。ユーザの手のひらが自然に置かれる場合、同じユーザのユーザ手のひらの手のひら根元部と各指との間の相対位置は基本的に変化しないため、電子機器は、手のひら根元部の掌紋およびタッチスクリーンにある手のひら根元部に対応する開始位置を取得した後、掌紋に対応する天然的な位置関係を取得することができ、さらに、天然的な位置関係を検索する方式で各指のタッチスクリーンでの初期位置を確定することができる。ここで、天然的な位置関係は、対象手のひらが自然で快適な状態でタッチスクリーンをタッチした場合の、手のひら根元部と各指との間の相対位置関係である。
【００５０】
第２確定方式について説明する。天然的な位置関係および／または極限の位置関係において指紋を用いて各指を標識する場合、タッチ信号を受信した後、タッチ信号に基づいて各指紋を取得し、各指紋に基づいて各指を識別し、タッチ信号中の各指紋の位置に基づいて、各指のタッチスクリーンでの初期位置を確定する。
【００５１】
天然的な位置関係、極限の位置関係、または両方において、いずれも指紋で各指を標識し、例えば、天然的な位置関係において指紋で各指を標識する場合、電子機器は、タッチ信号を受信した後、タッチ信号を印加した各指の指紋、および各指紋の位置を取得することができ、取得された指紋および天然的な位置関係における指紋により、各指を識別し、さらに、各指紋の位置を各指のタッチスクリーンでの位置に確定することができる。
【００５２】
ステップ２０５において、各指のタッチスクリーンでの初期位置を、指に対応する基本キーの基本キー位置として構築する。
【００５３】
電子機器は、対象手のひらの各指の初期位置を確定した後、各指の初期位置を、各指に対応する基本キーの基本キー位置として構築することができる。ここで、各指に対応する基本キーとは、ユーザの手のひらが自然で快適な状態でタッチスクリーンをタッチした場合、手のひらの各指に対応するデフォルト文字のキーを指す。
【００５４】
実際において、ユーザが物理的なキーボードにおいて入力することと同様に、ユーザの手のひらが自然で快適な状態でタッチスクリーンをタッチした場合、ユーザの左手の小指から親指まで順に対応する基本キーは「Ａ」、「Ｓ」、「Ｄ」、「Ｆ」、および「スペース」であり、右手の小指から親指まで順に対応する基本キーは「：」、「Ｌ」、「Ｋ」、「Ｊ」、および「スペース」であるので、電子機器は、各指の初期位置を確定した後、各指の初期位置を各指に対応する基本キーの基本キー位置として構築することができる。例えば、左手の小指のタッチスクリーンでの初期位置を、「Ａ」のタッチスクリーンでの基本キー位置として構築し、左手の薬指のタッチスクリーンでの初期位置を、「Ｓ」のタッチスクリーンでの基本キー位置として構築する。具体的には、図２Ｆを参照ください。
【００５５】
もちろん、実際において、ユーザは、設定項目により、各指に対して１つのキーを選択し、さらに指の初期位置を、ユーザにより選択されたキーのタッチスクリーンでのキー位置として構築することもできる。当該実施例では、具体的な構築方式を限定しない。
【００５６】
ステップ２０６において、タッチ信号を受信した後、手のひら根元部の掌紋を取得する。
【００５７】
電子機器がタッチ信号を受信した後、天然的な位置関係および極限の位置関係において掌紋を用いて手のひら根元部を標識する場合、後続のステップを実行するために、電子機器は、対象手のひらの手のひら根元部の掌紋を取得することができる。
【００５８】
次の点について説明すべきである。即ち、当該実施例では、ステップ２０４の後、ステップ２０６を実行することだけを例として説明したが、実際において、電子機器は、ステップ２０６およびステップ２０４を同時に実行してもよく、ステップ２０６を実行した後、ステップ２０４を実行してもよい。当該実施例では、具体的な実行順序を限定するものではない。
【００５９】
ステップ２０７において、前記手のひら根元部の掌紋に基づいて、前記掌紋に対応する天然的な位置関係および前記極限の位置関係が格納されているか否かを検出し、検出の結果、格納されていない場合、ステップ２０８を実行し、検出の結果、格納された場合、ステップ２０９を実行する。
【００６０】
電子機器は、手のひら根元部の掌紋を取得した後、手のひら根元部の掌紋に基づいて電子機器に天然的な位置関係および極限の位置関係が格納されているか否かを検出することができる。ここで、天然的な位置関係は、対象手のひらが自然で快適な状態でタッチスクリーンをタッチした場合の、手のひら根元部と各指との間の相対位置関係であり、極限の位置関係は、対象手のひらが完全に伸ばされた状態で、タッチスクリーンをタッチした場合の、手のひら根元部と各指との間の相対位置関係である。
【００６１】
実際において、各ユーザの手のひらが自然で快適な状態でタッチスクリーンをタッチした場合の、手のひら根元部と各指との間の相対位置関係、および手のひらが完全に伸ばされた状態でタッチスクリーンをタッチした場合の手のひら根元部と各指との間の相対位置関係は、いずれも多少異なっていることがあり、各ユーザを区別する方法の１つとしては、ユーザ掌紋により区別することである。このため、電子機器は、手のひら根元部の掌紋を取得した後、取得された手のひら根元部の掌紋とマッチングするユーザの手のひらが自然で快適な状態でタッチスクリーンをタッチした場合の手のひら根元部と各指との間の相対位置関係、および手のひらが完全に伸ばされた状態でタッチスクリーンをタッチした場合の手のひら根元部と各指との間の相対位置関係が格納されているか否かを検出することができる。
【００６２】
ステップ２０８において、前記天然的な位置関係および前記極限の位置関係を取得する。
【００６３】
電子機器の検出の結果、天然的な位置関係および極限の位置関係が格納されていない場合、当該ユーザが最初に電子機器に入力することを説明するため、このとき、電子機器は、天然的な位置関係および極限の位置関係を取得することができる。ここで、電子機器が天然的な位置関係を取得するステップは、次のステップを含むことができる。
【００６４】
第１ステップでは、第１のインタフェースに作用する第１のタッチ信号を受信し、第１のインタフェースは、対象手のひらを使用して自然で快適な状態でタッチスクリーンをタッチするようにユーザにヒントを与えるためのものである。
【００６５】
電子機器は、天然的な位置関係および極限の位置関係が格納されていないことを検出した場合、第１のインタフェースを表示することができる。ここで、第１のインタフェースは、対象手のひらを使用して自然で快適な状態でタッチスクリーンをタッチするようにユーザにヒントを与えるためのものである。
【００６６】
第２ステップでは、第１のタッチ信号に基づいて、対象手のひらが自然で快適な状態でタッチスクリーンをタッチした場合の前記手のひら根元部と各指との間の相対位置関係を確定し、第１のタッチ信号に基づいて確定された相対位置関係を、天然的な位置関係とする。
【００６７】
電子機器は、第１のタッチ信号を受信した後、第１のタッチ信号に基づいて対象手のひらが自然で快適な状態でタッチスクリーンをタッチした場合の前記手のひら根元部と各指との間の相対位置関係を確定し、第１のタッチ信号に基づいて確定された相対位置関係を、天然的な位置関係とする。
【００６８】
次の点について説明すべきである。即ち、電子機器が天然的な位置関係を取得する取得方式は、ステップ２０１おける、電子機器がユーザの手のひらが自然で快適な状態でタッチスクリーンをタッチした場合の手のひら根元部と各指との間の位置関係を取得する取得方式と同様である。技術的な詳細について、ステップ２０１を参照し、当該ステップでは、繰り返して説明しない。
【００６９】
電子機器が極限の位置関係を取得するステップは、次のステップを含むことができる。
【００７０】
第１ステップでは、第２のインタフェースに作用する第２のタッチ信号を受信し、第２のインタフェースは、対象手のひらを使用して完全に伸ばされた状態でタッチスクリーンをタッチするようにユーザにヒントを与えるためのものである。
【００７１】
電子機器は、天然的な位置関係および極限の位置関係が格納されていないことを検出した場合、第２のインタフェースを表示することができる。ここで、第２のインタフェースは、対象手のひらを使用して完全に伸ばされた状態でタッチスクリーンをタッチするようにユーザにヒントを与えるためのものである。
【００７２】
第２ステップでは、第２のタッチ信号に基づいて、対象手のひらが完全に伸ばされた状態でタッチスクリーンをタッチした場合の前記手のひら根元部と各指との間の相対位置関係を確定し、第２のタッチ信号に基づいて確定された相対位置関係を、極限の位置関係とする。
【００７３】
電子機器は、第２のタッチ信号を受信した後、第２のタッチ信号に基づいて対象手のひらが完全に伸ばされた状態でタッチスクリーンをタッチした場合の前記手のひら根元部と各指との間の相対位置関係を確定し、第２のタッチ信号に基づいて確定された相対位置関係を、極限の位置関係とする。
【００７４】
次の点について説明すべきである。すなわち、電子機器が極限の位置関係を取得する取得方式は、ステップ２０２における、電子機器がユーザの手のひらが完全に伸ばされた状態でタッチスクリーンをタッチした場合の手のひら根元部と各指との間の位置関係を取得する取得方式と同様である。技術的な詳細について、ステップ２０２を参照し、当該ステップでは、繰り返して説明しない。
【００７５】
また、他の点について説明すべきである。すなわち、電子機器が天然的な位置関係および極限の位置関係を取得した場合、ユーザの手のひらがタッチスクリーンから離れることがある。ユーザが再び手のひらを使用してタッチスクリーンをタッチして入力を要求する場合、ユーザの手のひらの各指のタッチスクリーンでの位置は、すでにステップ２０４において取得された初期位置ではないので、電子機器が天然的な位置関係および極限の位置関係を取得した後、ステップ２０４を再度実行する。当該実施例では、繰り返して説明しない。
【００７６】
ステップ２０９において、各指に対応する基本キーの基本キー位置と各指に対応する他のキーの他のキー位置との間の所定配列方式、対象手のひらの手のひら根元部と各指との間の天然的な位置関係、対象手のひらの手のひら根元部と各指との間の極限の位置関係に基づいて、各指に対応する基本キー位置と他のキー位置との間の相対位置を構築する。
【００７７】
ユーザが物理的なキーボードにおいて入力することと同様に、ユーザの各指がいずれも、いくつかの固定の文字に対応して入力することができ、例えば、左手の差し指は、「ｆ」、「ｇ」、「ｖ」、「ｂ」、「ｒ」、「ｔ」、「４」、および「５」を入力することができると共に、各文字の間の配列方式が固定されているので、各指は、いずれも、いくつかの、所定の配列方式で配列される各キー位置に対応している。詳細の模式図は、図２Ｇを参照ください。したがって、電子機器は、各指に対応する基本キーの基本キー位置と各指に対応する他のキーの他のキー位置との間の所定配列方式、対象手のひらの手のひら根元部と各指との間の天然的な位置関係、対象手のひらの手のひら根元部と各指との間の極限の位置関係に基づいて、各指に対応する基本キー位置と他のキー位置との間の相対位置を構築することができる。
【００７８】
実際において、電子機器は、極限の位置関係において、各指が到達可能な最も遠い位置を、該指に対応する各キーのうちの、基本キーの基本キー位置から最も遠いキーのキー位置として構築することができる。例えば、図２Ｇからわかるように、文字「５」に対応するキーの位置と、差し指に対応する基本キー「ｆ」のタッチスクリーンでの基本キー位置との距離は最も遠いので、電子機器は、極限の位置関係おいて差し指の到達可能な最も遠い距離を、文字「５」に対応するキー位置に設置することができると共に、差し指に対応する他のキー位置と「ｆ」および「５」との間の所定配列方式に基づいて構築し続けて、これにより、各指に対応する各キー位置のタッチスクリーンでの相対位置を確定することができる。
【００７９】
ステップ２１０において、タッチスクリーンに作用するクリック信号を受信する。
【００８０】
ユーザがクリックタッチスクリーン上のある領域をクリックする場合、電子機器は、タッチスクリーンに作用するクリック信号を受信することができる。
【００８１】
ステップ２１１において、クリック信号に基づいて対象指のタッチ位置を確定する。
【００８２】
電子機器は、受信されたクリック信号に基づいて対象指のタッチ位置を確定することができる。実際において、電子機器は、クリック信号を受信する位置を対象指のタッチ位置として確定することができる。対象指とは、クリック信号が印加された指を指す。
【００８３】
ステップ２１２において、対象指の初期位置とタッチ位置との間の変位、初期位置にある対象指に対応する基本キーの基本キー位置、および基本キー位置と対象指に対応する他のキーの他のキー位置とのタッチスクリーンでの相対位置に基づいて、タッチ位置にある対象指に対応する対象キー位置を確定する。
【００８４】
電子機器が対象キー位置を確定するステップは、次のステップを含むことができる。
【００８５】
第１ステップでは、クリック信号を受信した後、対象指の指紋を取得する。
【００８６】
電子機器は、クリック信号を受信した後、クリック信号が印加された対象指の指紋を取得することができる。ここで、電子機器が対象指の指紋を取得する取得方式は、ステップ２０１における、電子機器が手のひら掌紋を取得する取得方式と類似するので、技術的な詳細について、ステップ２０１を参照し、当該ステップでは、繰り返して説明しない。
【００８７】
第２ステップでは、対象指の指紋に基づいて対象指の初期位置を検索する。
【００８８】
ステップ２０４において、電子機器がすでに対象手のひらの各指の初期位置を確定したため、電子機器は、対象指の指紋を確定した後、対象指の指紋に基づいて対象指の初期位置を検索することができる。
【００８９】
実際において、電子機器が対象指の指紋に基づいて対象指の初期位置を検索する検索方式は、次の方式のうちのいずれかの１つを含むことができる。
【００９０】
第１方式について説明する。対象指の指紋に基づいて天然的な位置関係を取得し、手のひら根元部の掌紋のタッチスクリーンでの開始位置および天然的な位置関係に基づいて、対象指の指紋の初期位置を確定する。
【００９１】
天然的な位置関係において指紋で各指を標識することができるので、電子機器は、対象指の指紋を取得した後、天然的な位置関係を取得することができ、天然的な位置関係を探した後、天然的な位置関係を検索する方式により、手のひら根元部が開始位置にある場合の対象指のタッチスクリーンでの初期位置を検索する。
【００９２】
第２方式について説明する。対象指の指紋に基づいて対象指の初期位置を直接検索する。
【００９３】
電子機器が対象手のひらの各指の初期位置を確定する第２確定方式に対応するのは、電子機器は、対象指の指紋を取得した後、対象指の指紋に対応する初期位置を直接検索することができるというものである。
【００９４】
第３ステップでは、対象指の初期位置とタッチ位置との間の変位を計算する。
【００９５】
第４ステップでは、変位、対象指に対応する基本キーの基本キー位置、および基本キー位置と対象指に対応する他のキーの他のキー位置とのタッチスクリーンでの相対位置に基づいて、タッチ位置にある対象指に対応する対象キー位置を確定する。
【００９６】
初期位置にある対象指に対応する基本キーの基本キー位置がすでに確定され、かつ対象指に対応する基本キーの基本キー位置と他のキーの他のキー位置とのタッチスクリーンでの相対位置もすでに確定されたため、電子機器は、変位を取得した後、タッチ位置にある対象指に対応する対象キー位置を確定することができる。
【００９７】
ステップ２１３において、対象キー位置に対応する対象文字を入力する。
【００９８】
電子機器は、対象キー位置を確定した後、対象キー位置に対応する対象文字を入力することができる。例えば、電子機器が確定した対象キー位置は「ｔ」が位置するキー位置であれば、電子機器は、対象文字「ｔ」を入力することができる。
【００９９】
上記を纏めて言えば、本実施例に係る入力方法では、クリック信号を受信した後、クリック信号に基づいて対象指のタッチ位置を確定し、対象指の初期位置とタッチ位置との間の変位、初期位置にある対象指に対応する基本キーの基本キー位置、および基本キーと対象指に対応する他のキーの他のキー位置とのタッチスクリーンでの相対位置に基づいて、タッチ位置にある対象指に対応する対象キー位置を確定し、さらに、対象キー位置に対応する対象文字を入力する。これにより、従来技術における入力精度が比較的低く、入力速度が遅い問題を解决した。ユーザの手の置き位置とユーザが正常に使用するときの置き位置は偏差があったとしても、対象キー位置は、対象指の初期位置とタッチ位置との間の変位に基づいて確定されるため、電子機器は、依然としてユーザの所望の文字を正確に入力することができる。従って、入力精度を向上させる效果を実現した。同時に、対象キー位置は、対象指の初期位置とタッチ位置との間の変位に基づいて確定されるため、ユーザは、タッチスクリーン上の仮想キーボードを見ずに、自身が物理的なキーボードに対してタッチタイピングする習慣に従ってタッチスクリーン上に入力することができる。従って、入力速度を向上させる効果を達成した。
【０１００】
同時に、該実施例では、各指に対応する各キーのキー位置のタッチスクリーンでの相対位置を構築する前に、電子機器において天然的な位置関係および極限の位置関係が格納されているか否かを検出する。検出の結果、天然的な位置関係および極限の位置関係が格納されていない場合、まず、天然的な位置関係および極限の位置関係を取得し、その後、ユーザが再入力を要求する場合、再び構築を行うことにより、入力を要求するユーザが変更した場合、電子機器が各指に対応する各キーのキー位置のタッチスクリーンでの相対位置を構築することができず、電子機器が対象指のタッチ位置に対応する対象キー位置を確定することができず、即ち、対象文字を入力することができないという問題を避けることができる。
【０１０１】
説明すべきであることは、次の通りである。ユーザがタッチ信号を印加した後、クリック信号を印加する前に、ユーザの手のひらのタッチスクリーンでの位置がオフセットされ、ユーザがクリック信号を印加するとき、対象指の初期位置は、すでにユーザのタッチ信号を印加したときの対象指の位置ではなく、電子機器が対象指の初期位置に基づいて確定された対象キー位置は、すでにユーザが実際にクリックを要求する対象キー位置ではなく、すなわち、電子機器が最終的に入力する対象文字は、ユーザが実際に入力を要求する文字ではない、という問題を避けるために、図２Ｈに示すように、電子機器がステップ２１２を実行する前に、電子機器は、次のステップを実行することができる。
【０１０２】
ステップ２１４において、対象手のひらの手のひら根元部のタッチスクリーンでの現在位置を取得する。
【０１０３】
後続のステップを実行するために、電子機器は、対象手のひらの手のひら根元部のタッチスクリーンでの現在位置を取得することができる。実際において、電子機器は、対象手のひらの掌紋のタッチスクリーンでのタッチ位置を検出し、検出されたタッチ位置を対象手のひらの手のひら根元部のタッチスクリーンでの現在位置とすることができる。
【０１０４】
ステップ２１５において、手のひら根元部の現在位置と、電子機器がタッチ信号を受信したときの対象手のひらの手のひら根元部の開始位置が一致するか否かを検出する。
【０１０５】
手のひら根元部の位置が変化するか否かを判断するために、電子機器は、手のひら根元部の現在位置と、電子機器がタッチ信号を受信したときの対象手のひらの手のひら根元部の開始位置が一致するか否かを検出することができる。
【０１０６】
対応的には、ステップ２１２において、電子機器は、検出の結果、一致する場合、対象指の初期位置とタッチ位置との間の変位、初期位置にある対象指に対応する基本キーの基本キー位置、および基本キー位置と対象指に対応する他のキーの他のキー位置とのタッチスクリーンでの相対位置に基づいて、タッチ位置にある対象指に対応する対象キー位置を確定するステップを実行する。
【０１０７】
電子機器の検出の結果が一致する場合、手のひら根元部の位置が変化しない、すなわち、対象指の初期位置が変化しないことを説明する。この場合、電子機器は、直接にステップ２１２を実行することができる。
【０１０８】
しかしながら、電子機器の検出の結果、一致しない場合、手のひら根元部の位置が変化したことを説明する。この場合、電子機器が確定した対象キー位置はユーザが実際にクリックしたいキー位置ではなく、即ち、電子機器が実際に入力した対象文字はユーザが実際に入力したい文字ではない、という問題を避けるために、電子機器は、対象指の初期位置を改めて確定するように、改めてステップ２０４に進入する。本実施例では、繰り返して説明しない。
【０１０９】
以下は、本発明の方法の実施例を実行するための本発明の装置の実施例である。本発明に係る装置の実施例に記載されない詳細について、本発明に係る方法の実施例を参照ください。
【０１１０】
図３は、例示的な実施例に係る入力装置を示す模式図である。図３に示すように、当該入力装置は、
前記タッチスクリーンに作用するクリック信号を受信するように配置される第１の信号受信モジュール３１０と、
前記第１の信号受信モジュール３１０により受信された前記クリック信号に基づいて対象指のタッチ位置を確定するように配置されるタッチ位置確定モジュール３２０と、
前記対象指の初期位置と前記タッチ位置との間の変位、前記初期位置にある前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するように配置されるキー位置確定モジュール３３０と、
前記キー位置確定モジュールにより確定された前記対象キー位置に対応する対象文字を入力するように配置される文字入力モジュール３４０と、
を備えるが、これらに限定されるものではない。
【０１１１】
上記を纏めて言えば、本実施例に係る入力装置では、クリック信号を受信した後、クリック信号に基づいて対象指のタッチ位置を確定し、対象指の初期位置とタッチ位置との間の変位、初期位置にある対象指に対応する基本キーの基本キー位置、および基本キーと対象指に対応する他のキーの他のキー位置とのタッチスクリーンでの相対位置に基づいて、タッチ位置にある対象指に対応する対象キー位置を確定し、さらに、対象キー位置に対応する対象文字を入力する。これにより、従来技術における入力精度が比較的低く、入力速度が遅い問題を解决した。ユーザの手の置き位置とユーザが正常に使用するときの置き位置は偏差があったとしても、対象キー位置は、対象指の初期位置とタッチ位置との間の変位に基づいて確定されるため、電子機器は、依然としてユーザの所望の文字を正確に入力することができる。従って、入力精度を向上させる效果を実現した。同時に、対象キー位置は、対象指の初期位置とタッチ位置との間の変位に基づいて確定されるため、ユーザは、タッチスクリーン上の仮想キーボードを見ずに、自身が物理的なキーボードに対してタッチタイピングする習慣に従ってタッチスクリーンに入力することができる。従って、入力速度を向上させる効果を達成した。
【０１１２】
図４Ａは、例示的な実施例に係る入力装置を示す模式図である。図４Ａに示すように、当該入力装置は、
前記タッチスクリーンに作用するクリック信号を受信するように配置される第１の信号受信モジュール４１０と、
前記第１の信号受信モジュール３１０により受信された前記クリック信号に基づいて対象指のタッチ位置を確定するように配置されるタッチ位置確定モジュール４２０と、
前記対象指の初期位置と前記タッチ位置との間の変位、前記初期位置にある前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するように配置されるキー位置確定モジュール４３０と、
前記キー位置確定モジュールにより確定された前記対象キー位置に対応する対象文字を入力するように配置される文字入力モジュール４４０と、
を備えるが、これらに限定されるものではない。
【０１１３】
図４Ａに示す実施例における第１種の実現可能な形態では、当該入力装置は
前記タッチスクリーンに作用するタッチ信号を受信するように配置される第２の信号受信モジュール４５０と、
前記第２の信号受信モジュール４５０により受信された前記タッチ信号に基づいて対象手のひらの各指の前記タッチスクリーンでの初期位置を確定するように配置される初期位置確定モジュール４６０と、
各指の前記タッチスクリーンでの初期位置を前記指に対応する基本キーの基本キー位置として構築するように配置される基本キー位置構築モジュール４７０と、
各指に対応する基本キーの基本キー位置と各指に対応する他のキーの他のキー位置との間の所定配列方式、前記対象手のひらの手のひら根元部と各指との間の天然的な位置関係、前記対象手のひらの手のひら根元部と各指との間の極限の位置関係に基づいて、各指に対応する基本キー位置と他のキー位置との間の相対位置を構築するように配置される相対位置構築モジュール４８０と、
をさらに備え、
前記天然的な位置関係は、前記対象手のひらが自然で快適な状態で前記タッチスクリーンをタッチした場合の、前記手のひら根元部と各指との間の相対位置関係であり、
前記極限の位置関係は、前記対象手のひらが完全に伸ばされた状態で、前記タッチスクリーンをタッチした場合の、前記手のひら根元部と各指との間の相対位置関係である。
【０１１４】
図４Ａに示す実施例における第２種の実現可能な形態では、前記初期位置確定モジュール４６０は、
前記天然的な位置関係において掌紋を用いて手のひら根元部を標識し、かつ指紋を用いて各指を標識する場合、前記タッチ信号に基づいて前記手のひら根元部の掌紋を取得してから前記掌紋の前記タッチスクリーンでの開始位置を確定し、前記掌紋に対応する前記天然的な位置関係を取得し、前記掌紋の前記タッチスクリーンでの開始位置および前記天然的な位置関係に基づいて、各指の前記タッチスクリーンでの初期位置を確定するように配置される第１の位置確定ユニット４６１、
または
前記天然的な位置関係および／または前記極限の位置関係において指紋を用いて各指を標識する場合、前記タッチ信号を受信した後、前記タッチ信号に基づいて各指紋を取得し、前記各指紋に基づいて各指を識別し、前記タッチ信号中の各指紋の位置に基づいて、各指の前記タッチスクリーンでの初期位置を確定するように配置される第２の位置確定ユニット４６２、を備える。
【０１１５】
図４Ａに示す実施例における第３種の実現可能な形態では、前記キー位置確定モジュール４３０は、
前記クリック信号を受信した後、前記対象指の指紋を取得するように配置される指紋取得ユニット４３１と、
前記対象指の指紋に基づいて前記対象指の初期位置を検索するように配置される初期位置検索ユニット４３２と、
前記対象指の前記初期位置と前記タッチ位置との間の変位を計算するように配置される変位計算ユニット４３３と、
前記変位、前記対象指に対応する基本キーの基本キー位置、および前記基本キー位置と前記対象指に対応する他のキーの他のキー位置との前記タッチスクリーンでの相対位置に基づいて、前記タッチ位置にある前記対象指に対応する対象キー位置を確定するように配置されるキー位置確定ユニット４３４と、を備える。
【０１１６】
図４Ｂに示すように、図４Ａに示す実施例における第４種の実現可能な形態では、前記初期位置検索ユニット４３２は、
前記対象指の指紋に基づいて前記天然的な位置関係を取得し、前記手のひら根元部の掌紋の前記タッチスクリーンでの開始位置、および前記天然的な位置関係に基づいて、前記対象指の指紋の初期位置を確定するように配置される第１の検索サブユニット４３２ａ、
または
前記対象指の指紋に基づいて前記対象指の指紋の前記初期位置を直接検索するように配置される前記第２の検索サブユニット４３２ｂ、を備える。
【０１１７】
図４Ａに示す実施例における第５の種類の実現可能な形態では、前記装置は、
前記天然的な位置関係および前記極限の位置関係において掌紋を用いて手のひら根元部を標識する場合、前記タッチ信号を受信した後、前記手のひら根元部の掌紋を取得するように配置される掌紋取得モジュール４９０と、
前記掌紋取得モジュール４９０により取得された前記手のひら根元部の掌紋に基づいて前記天然的な位置関係および前記極限の位置関係が格納されているか否かを検出するように配置される関係検出モジュール５１０と、
前記関係検出モジュール５１０の検出の結果、前記天然的な位置関係および前記極限の位置関係が格納されていない場合、前記天然的な位置関係および前記極限の位置関係を取得するように配置される関係取得モジュール５２０と、をさらに備える。
【０１１８】
図４Ａに示す実施例における第６の種類の実現可能な形態では、前記関係取得モジュール５２０は、
前記対象手のひらを使用して自然で快適な状態で前記タッチスクリーンをタッチするようにユーザにヒントを与えるための第１のインタフェースに作用する第１のタッチ信号を受信し、前記第１のタッチ信号に基づいて、前記対象手のひらが自然で快適な状態で前記タッチスクリーンをタッチした場合の、前記手のひら根元部と各指との間の相対位置関係を確定し、前記第１のタッチ信号に基づいて確定された相対位置関係を、前記天然的な位置関係とするように配置される第１の関係取得ユニット５２１と、
前記対象手のひらを使用して完全に伸ばされた状態で前記タッチスクリーンをタッチするようにユーザにヒントを与えるための第２のインタフェースに作用する第２のタッチ信号を受信し、前記第２のタッチ信号に基づいて、前記対象手のひらが完全に伸ばされた状態で前記タッチスクリーンをタッチした場合の、前記手のひら根元部と各指との間の相対位置関係を確定し、前記第２のタッチ信号に基づいて確定された相対位置関係を、前記極限の位置関係とするように配置される第２の関係取得ユニット５２２と、を備える。
【０１１９】
上記を纏めて言えば、本実施例に係る入力装置では、クリック信号を受信した後、クリック信号に基づいて対象指のタッチ位置を確定し、対象指の初期位置とタッチ位置との間の変位、初期位置にある対象指に対応する基本キーの基本キー位置、および基本キーと対象指に対応する他のキーの他のキー位置とのタッチスクリーンでの相対位置に基づいて、タッチ位置にある対象指に対応する対象キー位置を確定し、さらに、対象キー位置に対応する対象文字を入力する。これにより、従来技術における入力精度が比較的低く、入力速度が遅い問題を解决した。ユーザの手の置き位置とユーザが正常に使用するときの置き位置は偏差があったとしても、対象キー位置は、対象指の初期位置とタッチ位置との間の変位に基づいて確定されるため、電子機器は、依然としてユーザの所望の文字を正確に入力することができる。従って、入力精度を向上させる效果を実現した。同時に、対象キー位置は、対象指の初期位置とタッチ位置との間の変位に基づいて確定されるため、ユーザは、タッチスクリーン上の仮想キーボードを見ずに、自身が物理的なキーボードに対してタッチタイピングする習慣に従ってタッチスクリーンに入力することができる。従って、入力速度を向上させる効果を達成した。
【０１２０】
図５は、例示的な実施例に係る入力装置６００を示す模式図である。例えば、装置６００は、携帯電話、コンピュータ、デジタル放送端末、メッセージ送受信機器、ゲームコンソール、タブレットデバイス、医療機器、フィットネス機器、パーソナルデジタルアシスタントなどであってもよい。
【０１２１】
図５に示すように、装置６００は、プロセスアセンブリ６０２、メモリ６０４、電源アセンブリ６０６、マルチメディアアセンブリ６０８、オーディオアセンブリ６１０、入力／出力（Ｉ／Ｏ）インタフェース６１２、センサアセンブリ６１４、および通信アセンブリ６１６のような１つ以上のアセンブリを含んでよい。
【０１２２】
プロセスアセンブリ６０２は、一般的には装置６００全体の操作を制御するものであり、例えば、表示、電話呼び出し、データ通信、カメラ操作、及び記録操作と関連する操作を制御する。プロセスアセンブリ６０２は、１つ以上のプロセッサ６１８を含み、これらによって指令を実行することにより、上記方法の全部、或は一部のステップを実現するようにしてもよい。なお、プロセスアセンブリ６０２は、一つ以上のモジュールを含み、これらによってプロセスアセンブリ６０２と他のアセンブリの間のインタラクションを容易にするようにしてもよい。例えば、プロセスアセンブリ６０２は、マルチメディアモジュールを含み、これらによってマルチメディアアセンブリ６０８とプロセスアセンブリ６０２の間のインタラクションを容易にするようにしてもよい。
【０１２３】
メモリ６０４は、各種類のデータを記憶することにより装置６００の操作を支援するように構成される。これらのデータの例は、装置６００において操作されるいずれのアプリケーションプログラム又は方法の命令、連絡対象データ、電話帳データ、メッセージ、画像、ビデオ等を含む。メモリ６０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１２４】
電源アセンブリ６０６は、装置６００の多様なアセンブリに電力を供給する。電源アセンブリ６０６は、電源管理システム、一つ以上の電源、及び装置６００のための電力の生成、管理及び割り当てに関連する他のアセンブリを含んでもよい。
【０１２５】
マルチメディアアセンブリ６０８は、前記装置６００とユーザの間に一つの出力インターフェイスを提供するスクリーンを含む。上記実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記タッチ、或はスライド操作に係る継続時間及び圧力も検出できる。上記実施例において、マルチメディアアセンブリ６０８は、一つのフロントカメラ、及び／又はリアカメラを含む。装置６００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１２６】
オーディオアセンブリ６１０は、オーディオ信号を入出力するように構成されてもよい。例えば、オーディオアセンブリ６１０は、一つのマイク（ＭＩＣ）を含み、装置６００が、例えば呼出しモード、記録モード、及び音声認識モード等の操作モードにある場合、マイクは外部のオーディオ信号を受信することができる。受信されたオーディオ信号は、さらにメモリ６０４に記憶されたり、通信アセンブリ６１６を介して送信されたりされる。上記実施例において、オーディオアセンブリ６１０は、オーディオ信号を出力するための一つのスピーカーをさらに含む。
【０１２７】
Ｉ／Ｏインターフェイス６１２は、プロセスアセンブリ６０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２８】
センサアセンブリ６１４は、装置６００に各方面の状態に対する評価を提供するための一つ以上のセンサを含む。例えば、センサアセンブリ６１４は、装置６００のＯＮ／ＯＦＦ状態、装置６００のディスプレイとキーパッドのようなアセンブリの相対的な位置決めを検出できる。また、例えば、センサアセンブリ６１４は、装置６００、或は装置６００の一つのアセンブリの位置変更、ユーザと装置６００とが接触しているか否か、装置６００の方位、又は加速／減速、装置６００の温度の変化を検出できる。センサアセンブリ６１４は、何れの物理的接触がない状態にて付近の物体の存在を検出するための近接センサを含んでもよい。センサアセンブリ６１４は、撮影アプリケーションに適用するため、ＣＭＯＳ、又はＣＣＤ図像センサのような光センサを含んでもよい。上記実施例において、当該センサアセンブリ６１４は、加速度センサ、ジャイロスコープセンサ、磁気センサ、圧力センサ、及び温度センサをさらに含んでもよい。
【０１２９】
通信アセンブリ６１６は、装置６００と他の機器の間に有線、又は無線形態の通信を提供する。装置６００は、例えばＷｉＦｉ、２Ｇ、３Ｇ、或はこれらの組み合わせのような、通信規格に基づいた無線ネットワークに接続されてもよい。一つの例示的な実施例において、通信アセンブリ６１６は、放送チャンネルを介して外部の放送管理システムからの放送信号、又は放送に関連する情報を受信する。一つの例示的な実施例において、前記通信アセンブリ６１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１３０】
例示的な実施例において、装置６００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１３１】
例示的な実施例では、さらに、指令を含むコンピュータ読み取り可能な非一時的な記憶媒体、例えば、指令を含むメモリ６０４を提供しており、装置６００のプロセッサ６１８により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピーディスク、および光データ記憶デバイスなどであってもよい。
【０１３２】
当業者は、明細書に対する理解、及び明細書に記載された発明に対する実践を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許要求の範囲によって示される。
【０１３３】
本発明は、上記の記述、及び図示された具体的な構成に限定されず、その範囲を逸脱しない状況で、いろんな修正と変更が可能である、ことを理解すべきである。本発明の範囲は、ただ添付の特許要求の範囲により限定される。
【図１】
0006012900.tif 000002
【図２Ａ】
0006012900.tif 000003
【図２Ｂ】
0006012900.tif 000004
【図２Ｃ】
0006012900.tif 000005
【図２Ｄ】
0006012900.tif 000006
【図２Ｅ】
0006012900.tif 000007
【図２Ｆ】
0006012900.tif 000008
【図２Ｇ】
0006012900.tif 000009
【図２Ｈ】
0006012900.tif 000010
【図３】
0006012900.tif 000011
【図４Ａ】
0006012900.tif 000012
【図４Ｂ】
0006012900.tif 000013
【図５】
0006012900.tif 000014